(57)【要約】【課題】読み取った車両番号から該車両の所有者の所有する利用者端末を特定し、該利用者端末に対し、該車両の所有者である利用者の個人情報に対応する買物情報などの所定の情報を、適切なタイミングで配信する。【解決手段】駐車場に入庫する車両の車両番号情報を読み取る車両番号認識手段と、周辺エリアの店舗等のエリア情報を記憶するエリア情報記憶手段、及び、利用者情報記憶する利用者情報記憶手段とを有する情報配信サーバ装置と、を備えた情報配信システムであって、前記情報配信サーバ装置は、前記車両番号認識手段により読み取られた車両番号情報と、前記利用者情報記憶手段に登録された車両番号情報とが一致した時には、前記利用者情報記憶手段に登録された利用者端末宛てに、前記利用者情報記憶手段に登録された利用者個人情報に応じて前記エリア情報記憶手段から抽出した所定のエリア情報を配信する。【選択図】      図１
2005141600.tif 000002
【特許請求の範囲】
【請求項１】
商店街等の駐車場への経路に配設され前記駐車場に入庫する車両の車両番号情報を読み取る車両番号認識手段と、前記車両番号認識手段が配設された周辺エリアの店舗等のエリア情報を記憶するエリア情報記憶手段と利用者情報として少なくとも車両番号情報と利用者端末情報と利用者個人情報とを記憶する利用者情報記憶手段とを有する情報配信サーバ装置とを備えた情報配信システムであって、前記情報配信サーバ装置は前記車両番号認識手段により読み取られた車両番号情報と前記利用者情報記憶手段に登録された車両番号情報とが一致した時には、前記利用者情報記憶手段に登録された利用者端末情報で識別される利用者端末宛てに前記利用者情報記憶手段に登録された利用者個人情報に応じて前記エリア情報記憶手段から抽出した所定のエリア情報を配信する情報配信制御手段を有することを特徴とする車両番号による情報配信システム。
【請求項２】
前記情報配信制御手段は、前記車両番号認識手段が読み取った車両番号情報を受信し当該車両番号情報が前記利用者情報記憶手段に登録されているか否かを検索する車両番号受信・検索部と、当該車両番号情報が前記利用者情報記憶手段に登録されていた場合に当該車両番号情報の車両の所有者である利用者の利用者端末を特定し該利用者端末へ配信する配信情報を、当該利用者の利用者個人情報に基づいて前記エリア情報記憶手段から検索することにより抽出し配信するエリア情報として生成する配信情報抽出部と、前記配信情報抽出部によって生成されたエリア情報を該利用者端末へ配信する配信情報送信部とを備えることを特徴とする請求項１記載の車両番号による情報配信システム。
【請求項３】
前記情報配信制御手段は、さらに、前記車両番号認識手段が配設された周辺エリアの店舗等に配設された情報提供者端末（店舗端末）から送信されるエリア情報を受信して前記エリア情報記憶手段に登録するエリア情報登録部と、利用者情報として少なくとも車両番号情報と利用者端末情報と利用者個人情報とを当該利用者の利用者端末から受信して前記利用者情報記憶手段に登録する利用者情報登録部とを備えることを特徴とする請求項２記載の車両番号による情報配信システム。
【請求項４】
前記利用者情報記憶手段は利用者情報として更に利用店舗情報を記憶し、前記情報配信制御手段は前記車両番号認識手段により読み取られた車両番号情報と前記利用者情報記憶手段に登録された車両番号情報とが一致した時には、さらに、前記利用者情報記憶手段に登録された利用者情報の利用店舗情報で識別される店舗等に配設された情報提供者端末（店舗端末）宛てに当該車両番号情報の車両の所有者である利用者が前記店舗等に来訪することを予告する情報を配信することを特徴とする請求項１から請求項３の何れか１項記載の車両番号による情報配信システム。
【請求項５】
前記情報配信制御手段は前記車両番号認識手段が車両番号情報を読み取ってからの経過時間を計時し所定時間経過時ごとに前記エリア情報記憶手段から所定のエリア情報を抽出して当該車両番号情報の車両の所有者である利用者の利用者端末宛てに配信することを特徴とする請求項１から請求項４の何れか１項記載の車両番号による情報配信システム。
【請求項６】
前記エリア情報記憶手段はさらに周辺エリアの店舗等のエリア情報として周辺エリアの店舗等のスケジュール情報を記憶し、前記情報配信制御手段は前記スケジュール情報に基づいた所定のエリア情報を前記エリア情報記憶手段から抽出して利用者端末宛てに配信することを特徴とする請求項１から請求項５の何れか１項記載の車両番号による情報配信システム。
【請求項７】
商店街等の駐車場への経路に配設され前記駐車場に入庫する車両の車両番号情報を読み取る車両番号認識手段と、前記車両番号認識手段が配設された周辺エリアの店舗等のエリア情報を記憶するエリア情報記憶手段と利用者情報として少なくとも車両番号情報と利用者端末情報と利用者個人情報とを記憶する利用者情報記憶手段とを有する情報配信サーバ装置とを備えた情報配信システムの情報配信方法において、前記情報配信サーバ装置は前記車両番号認識手段により読み取られた車両番号情報と前記利用者情報記憶手段に登録された車両番号情報とが一致した時には、前記利用者情報記憶手段に登録された利用者端末情報で識別される利用者端末宛てに前記利用者情報記憶手段に登録された利用者個人情報に応じて前記エリア情報記憶手段から抽出した所定のエリア情報を配信する情報配信制御ステップを含む車両番号による情報配信方法。
【請求項８】
前記情報配信制御ステップは前記車両番号認識手段が読み取った車両番号情報を受信し当該車両番号情報が前記利用者情報記憶手段に登録されているか否かを検索する車両番号受信・検索ステップと、当該車両番号情報が前記利用者情報記憶手段に登録されていた場合に当該車両番号情報の車両の所有者である利用者の利用者端末を特定し該利用者端末へ配信する配信情報を当該利用者の利用者個人情報に基づいて前記エリア情報記憶手段から検索することにより抽出し配信するエリア情報として生成する配信情報抽出ステップと、前記配信情報抽出ステップによって生成されたエリア情報を該利用者端末へ配信する配信情報送信ステップとを含む請求項７記載の車両番号による情報配信方法。
【請求項９】
前記情報配信制御ステップは、さらに、前記車両番号認識手段が配設された周辺エリアの店舗等に配設された情報提供者端末（店舗端末）から送信されるエリア情報を受信して前記エリア情報記憶手段に登録するエリア情報登録ステップと、利用者情報として少なくとも車両番号情報と利用者端末情報と利用者個人情報とを当該利用者の利用者端末から受信して前記利用者情報記憶手段に登録する利用者情報登録ステップとを含む請求項８記載の車両番号による情報配信方法。
【請求項１０】
前記利用者情報記憶手段は利用者情報として更に利用店舗情報を記憶し、前記情報配信制御ステップは前記車両番号認識手段により読み取られた車両番号情報と前記利用者情報記憶手段に登録された車両番号情報とが一致した時には、さらに、前記利用者情報記憶手段に登録された利用者情報の利用店舗情報で識別される店舗等に配設された情報提供者端末（店舗端末）宛てに当該車両番号情報の車両の所有者である利用者が前記店舗等に来訪することを予告する情報を配信するステップを含むことを特徴とする請求項７から請求項９の何れか１項記載の車両番号による情報配信方法。
【請求項１１】
前記情報配信制御ステップは前記車両番号認識手段が車両番号情報を読み取ってからの経過時間を計時し所定時間経過時ごとに前記エリア情報記憶手段から所定のエリア情報を抽出して当該車両番号情報の車両の所有者である利用者の利用者端末宛てに配信するステップを含むことを特徴とする請求項７から請求項１０の何れか１項記載の車両番号による情報配信方法。
【請求項１２】
前記エリア情報記憶手段はさらに周辺エリアの店舗等のエリア情報として周辺エリアの店舗等のスケジュール情報を記憶し、前記情報配信制御ステップは前記スケジュール情報に基づいた所定のエリア情報を前記エリア情報記憶手段から抽出して利用者端末宛てに配信するステップを含むことを特徴とする請求項７から請求項１１の何れか１項記載の車両番号による情報配信方法。
【請求項１３】
商店街等の駐車場への経路に配設され前記駐車場に入庫する車両の車両番号情報を読み取る車両番号認識装置から読み取られた車両番号情報を受信すると共に、前記車両番号認識装置が配設された周辺エリアの店舗等のエリア情報を記憶するエリア情報記憶ＤＢ（Ｄａｔａ  Ｂａｓｅ：データベース）と利用者情報として少なくとも車両番号情報と利用者端末情報と利用者個人情報とを記憶する利用者情報記憶ＤＢとを備えるサーバ装置であって、前記サーバ装置は前記車両番号認識装置により読み取られた車両番号情報と前記利用者情報記憶ＤＢに登録された車両番号情報とが一致した時には、前記利用者情報記憶ＤＢに登録された利用者端末情報で識別される利用者端末宛てに前記利用者情報記憶ＤＢに登録された利用者個人情報に応じて前記エリア情報記憶ＤＢから抽出した所定のエリア情報を配信する情報配信制御手段を備えることを特徴とするサーバ装置。
【請求項１４】
前記情報配信制御手段は前記車両番号認識装置が読み取った車両番号情報を受信し当該車両番号情報が前記利用者情報記憶ＤＢに登録されているか否かを検索する車両番号受信・検索部と、当該車両番号情報が前記利用者情報記憶ＤＢに登録されていた場合に当該車両番号情報の車両の所有者である利用者の利用者端末を特定し該利用者端末へ配信する配信情報を当該利用者の利用者個人情報に基づいて前記エリア情報記憶ＤＢから検索することにより抽出し配信するエリア情報として生成する配信情報抽出部と、前記配信情報抽出部によって生成されたエリア情報を該利用者端末へ配信する配信情報送信部とを備えることを特徴とする請求項１３記載のサーバ装置。
【請求項１５】
前記情報配信制御手段は、さらに、前記車両番号認識装置が配設された周辺エリアの店舗等に配設された情報提供者端末（店舗端末）から送信されるエリア情報を受信して前記エリア情報記憶ＤＢに登録するエリア情報登録部と、利用者情報として少なくとも車両番号情報と利用者端末情報と利用者個人情報とを当該利用者の利用者端末から受信して前記利用者情報記憶ＤＢに登録する利用者情報登録部とを備えることを特徴とする請求項１４記載のサーバ装置。
【請求項１６】
前記利用者情報記憶ＤＢは利用者情報として更に利用店舗情報を記憶し、前記情報配信制御手段は前記車両番号認識装置により読み取られた車両番号情報と前記利用者情報記憶ＤＢに登録された車両番号情報とが一致した時には、さらに、前記利用者情報記憶ＤＢに登録された利用者情報の利用店舗情報で識別される店舗等に配設された情報提供者端末（店舗端末）宛てに当該車両番号情報の車両の所有者である利用者が前記店舗等に来訪することを予告する情報を配信することを特徴とする請求項１３から請求項１５の何れか１項記載のサーバ装置。
【請求項１７】
前記情報配信制御手段は前記車両番号認識装置が車両番号情報を読み取ってからの経過時間を計時し所定時間経過時ごとに前記エリア情報記憶ＤＢから所定のエリア情報を抽出して当該車両番号情報の車両の所有者である利用者の利用者端末宛てに配信することを特徴とする請求項１３から請求項１６の何れか１項記載のサーバ装置。
【請求項１８】
前記エリア情報記憶ＤＢはさらに周辺エリアの店舗等のエリア情報として周辺エリアの店舗等のスケジュール情報を記憶し、前記情報配信制御手段は前記スケジュール情報に基づいた所定のエリア情報を前記エリア情報記憶ＤＢから抽出して利用者端末宛てに配信することを特徴とする請求項１３から請求項１７の何れか１項記載のサーバ装置。
【請求項１９】
商店街等の駐車場への経路に配設され前記駐車場に入庫する車両の車両番号情報を読み取る車両番号認識装置から読み取られた車両番号情報を受信すると共に、前記車両番号認識装置が配設された周辺エリアの店舗等のエリア情報を記憶するエリア情報記憶ＤＢと利用者情報として少なくとも車両番号情報と利用者端末情報と利用者個人情報とを記憶する利用者情報記憶ＤＢとを備えるサーバ装置のコンピュータに、前記車両番号認識装置により読み取られた車両番号情報と前記利用者情報記憶ＤＢに登録された車両番号情報とが一致した時には、前記利用者情報記憶ＤＢに登録された利用者端末情報で識別される利用者端末宛てに前記利用者情報記憶ＤＢに登録された利用者個人情報に応じて前記エリア情報記憶ＤＢから抽出した所定のエリア情報を配信する情報配信制御処理を実行させることを特徴とするプログラム。
【請求項２０】
前記情報配信制御処理においては、前記車両番号認識装置が読み取った車両番号情報を受信し当該車両番号情報が前記利用者情報記憶ＤＢに登録されているか否かを検索する車両番号受信・検索処理と、当該車両番号情報が前記利用者情報記憶ＤＢに登録されていた場合に当該車両番号情報の車両の所有者である利用者の利用者端末を特定し該利用者端末へ配信する配信情報を当該利用者の利用者個人情報に基づいて前記エリア情報記憶ＤＢから検索することにより抽出し配信するエリア情報として生成する配信情報抽出処理と、前記配信情報抽出処理によって生成されたエリア情報を該利用者端末へ配信する配信情報送信処理とを実行させることを特徴とする請求項１９記載のプログラム。
【請求項２１】
前記情報配信制御処理においては、さらに、前記車両番号認識装置が配設された周辺エリアの店舗等に配設された情報提供者端末（店舗端末）から送信されるエリア情報を受信して前記エリア情報記憶ＤＢに登録するエリア情報登録処理と、利用者情報として少なくとも車両番号情報と利用者端末情報と利用者個人情報とを当該利用者の利用者端末から受信して前記利用者情報記憶ＤＢに登録する利用者情報登録処理とを実行させることを特徴とする請求項２０記載のプログラム。
【請求項２２】
前記利用者情報記憶ＤＢは利用者情報として更に利用店舗情報を記憶し、前記情報配信制御処理においては、前記車両番号認識装置により読み取られた車両番号情報と前記利用者情報記憶ＤＢに登録された車両番号情報とが一致した時には、さらに、前記利用者情報記憶ＤＢに登録された利用者情報の利用店舗情報で識別される店舗等に配設された情報提供者端末（店舗端末）宛てに当該車両番号情報の車両の所有者である利用者が前記店舗等に来訪することを予告する情報を配信する処理を実行させることを特徴とする請求項１９から請求項２１の何れか１項記載のプログラム。
【請求項２３】
前記情報配信制御処理においては、前記車両番号認識装置が車両番号情報を読み取ってからの経過時間を計時し所定時間経過時ごとに前記エリア情報記憶ＤＢから所定のエリア情報を抽出して当該車両番号情報の車両の所有者である利用者の利用者端末宛てに配信する処理を実行させることを特徴とする請求項１９から請求項２２の何れか１項記載のプログラム。
【請求項２４】
前記エリア情報記憶ＤＢはさらに周辺エリアの店舗等のエリア情報として周辺エリアの店舗等のスケジュール情報を記憶し、前記情報配信制御処理においては、前記スケジュール情報に基づいた所定のエリア情報を前記エリア情報記憶ＤＢから抽出して利用者端末宛てに配信する処理を実行させることを特徴とする請求項１９から請求項２３の何れか１項記載のプログラム。
【発明の詳細な説明】
【技術分野】
【０００１】
本発明は、車両番号による情報配信システムとその方法並びにサーバ装置とそのプログラムに関し、特に、商店街等への来車車両の車両番号を読み取り、読み取った車両番号から該車両の所有者の所有する携帯端末などの利用者端末を特定し、該利用者端末に対し商店街等の買物情報など所定の情報配信を行うことを可能とする、車両番号による情報配信システムとその方法並びにサーバ装置とそのプログラムに関する。
【背景技術】
【０００２】
従来より、商店、レストラン、映画館等の複数の店舗が集まった複合商業施設や街の商店街、或いは、スーパーマーケットなどの大型小売店舗へ、買物等の目的で出かける際には、事前に新聞折込広告等をチェックしたり、商店の建物へ入る際に広告チラシをチェックすることなどにより、買物情報や特売品情報などの情報を入手していた。このため、商店街等の利用者にとって価値の高い情報を取得するためには、多大な手間や時間が必要とされていた。
【０００３】
このような問題を解消するシステムの一例として、顧客が保持している携帯端末に、顧客が要求するであろう小売店の買物情報を配信する、顧客サービスシステムを提案しているものがある（例えば、特許文献１参照。）。
【０００４】
上述の特許文献１に記載の「顧客サービスシステム及び顧客サービス提供方法」においては、小売店の備えるサーバ装置に、顧客と、顧客が持つ携帯端末と、顧客の特性情報（生年月日、趣味、嗜好、など）との関係を予め保持しておく。そして、顧客の来店を、顧客が持つ携帯端末からの応答によりサーバ装置が検知すると、該顧客の特性情報や過去の購入の履歴情報などに基づいて、該顧客が要求するであろうカテゴリに関連する買物情報を生成して、これを短距離無線通信にて該顧客の携帯端末に配信するようにしている。この配信により、顧客は、店内にいるだけで、予め登録していた情報や、最も利用するであろう情報を、無料の無線によって受信することができるようになる、としている。
【０００５】
また、上述の商店街等へ出かける際には、自家用車等の車両を利用する場合が多くなってきている。そして、商店街等の駐車場に車両が入った時に、その車両番号を読み取り、該車両の所有者の携帯電話等のユーザ端末に、該車両に関連するサービス情報を通知するシステムを提案しているものもある（例えば、特許文献２参照。）。
【０００６】
上述の特許文献２に記載の「ダイレクトメールシステム」においては、その一実施例として、駐車場に入庫した自動車のナンバープレートを、電子式ナンバープレート読取装置、或いは、カメラ式ナンバープレート読取装置で読み取り、読み取ったナンバープレートの自動車の所有者のユーザ端末に対して、予め収集してある該当施設の利用回数や利用時期の情報から、情報提供端末が提供しているサービス情報（例えば、スーパーマーケットの商品のセールス期間）を抽出して、ダイレクトメールとして送信するようにしている。このようにして、自動車に関連するサービスの利用頻度、利用時期に応じたダイレクトメールを、自動車を所有するユーザに通知することができる、としている。
【特許文献１】特開２００３−１９６５５２号公報（第５−１１頁、図１−７）
【特許文献２】特開２００３−１３２２６２号公報（第７−１６頁、図１−１６）
【発明の開示】
【発明が解決しようとする課題】
【０００７】
上述した従来の特許文献１に記載の顧客サービスシステムは、顧客の来店を、短距離無線通信（Ｂｌｕｅｔｏｏｔｈ（ブルートゥース）やＩｒＤＡ（赤外線無線通信））によって検知するものであり、かつ、買物情報の配信においても短距離無線通信を利用している。従って、顧客の持つ携帯端末に短距離無線通信装置の実装が必要となり、これにより、顧客の携帯端末のコストが高くなる。また、一店舗内での適用を想定しており、複合商業施設や街の商店街等への適用は困難である。
【０００８】
また、上述した従来の特許文献２に記載のシステムは、自動車の所有者のユーザ端末に対して、該当施設の利用回数や利用時期の情報からサービス情報を抽出して、ダイレクトメールとして送信するものとしている。しかし、自動車の所有者に関する個人情報（例えば、趣味・嗜好など）を加味したサービス情報を送信するものではなく、また、一店舗或いは一事業者での適用を想定しており、複合商業施設や街の商店街等への適用は困難である。さらに、店舗などの該当施設に対して顧客の来店を予め通知するようにはなっておらず、かつ、店舗周辺エリアの情報を送信するようにもなっていない。
【０００９】
本発明は、上述した事情に鑑みて成されたものであり、従って本発明の目的は、商店街等の駐車場などへ車両が入庫しようとした際に車両番号を読み取り、読み取った車両番号から該車両の所有者の所有する携帯端末などの利用者端末を特定し、該利用者端末に対し、該車両の所有者である利用者の個人情報に対応する買物情報などの所定の情報を、適切なタイミングで配信することを可能とする、車両番号による情報配信システムとその方法並びにサーバ装置とそのプログラム、を提供することにある。
【００１０】
また、本発明の別の目的は、商店街や複合商業施設など複数の商店・店舗に関連するエリア情報を、車両の所有者の利用者端末に配信可能とする、車両番号による情報配信システムとその方法並びにサーバ装置とそのプログラム、を提供することにある。本発明の他の目的は、商店・店舗などへ対しても、利用者の来訪に関する情報を配信可能とすることである。
【００１１】
さらに、本発明の他の目的は、エリア内のイベントのスケジュールを管理し、スケジュールに応じてイベントの開始時刻などの情報を配信可能とすることである。
【課題を解決するための手段】
【００１２】
本発明によれば、商店街等の駐車場への経路に配設され前記駐車場に入庫する車両の車両番号情報を読み取る車両番号認識手段と、前記車両番号認識手段が配設された周辺エリアの店舗等のエリア情報を記憶するエリア情報記憶手段と利用者情報として少なくとも車両番号情報と利用者端末情報と利用者個人情報とを記憶する利用者情報記憶手段とを有する情報配信サーバ装置とを備えた情報配信システムであって、前記情報配信サーバ装置は前記車両番号認識手段により読み取られた車両番号情報と前記利用者情報記憶手段に登録された車両番号情報とが一致した時には、前記利用者情報記憶手段に登録された利用者端末情報で識別される利用者端末宛てに前記利用者情報記憶手段に登録された利用者個人情報に応じて前記エリア情報記憶手段から抽出した所定のエリア情報を配信する情報配信制御手段を有する情報配信システムが得られる。
【００１３】
また、前記情報配信制御手段は、前記車両番号認識手段が読み取った車両番号情報を受信し当該車両番号情報が前記利用者情報記憶手段に登録されているか否かを検索する車両番号受信・検索部と、当該車両番号情報が前記利用者情報記憶手段に登録されていた場合に当該車両番号情報の車両の所有者である利用者の利用者端末を特定し該利用者端末へ配信する配信情報を、当該利用者の利用者個人情報に基づいて前記エリア情報記憶手段から検索することにより抽出し配信するエリア情報として生成する配信情報抽出部と、前記配信情報抽出部によって生成されたエリア情報を該利用者端末へ配信する配信情報送信部とを備えている。
【００１４】
前記情報配信制御手段は、さらに、前記車両番号認識手段が配設された周辺エリアの店舗等に配設された情報提供者端末（店舗端末）から送信されるエリア情報を受信して前記エリア情報記憶手段に登録するエリア情報登録部と、利用者情報として少なくとも車両番号情報と利用者端末情報と利用者個人情報とを当該利用者の利用者端末から受信して前記利用者情報記憶手段に登録する利用者情報登録部とを備えている。
【００１５】
また、前記利用者情報記憶手段は利用者情報として更に利用店舗情報を記憶し、前記情報配信制御手段は前記車両番号認識手段により読み取られた車両番号情報と前記利用者情報記憶手段に登録された車両番号情報とが一致した時には、さらに、前記利用者情報記憶手段に登録された利用者情報の利用店舗情報で識別される店舗等に配設された情報提供者端末（店舗端末）宛てに当該車両番号情報の車両の所有者である利用者が前記店舗等に来訪することを予告する情報を配信する。
【００１６】
さらに、前記情報配信制御手段は前記車両番号認識手段が車両番号情報を読み取ってからの経過時間を計時し所定時間経過時ごとに前記エリア情報記憶手段から所定のエリア情報を抽出して当該車両番号情報の車両の所有者である利用者の利用者端末宛てに配信することを特徴とする。
【００１７】
また、前記エリア情報記憶手段はさらに周辺エリアの店舗等のエリア情報として周辺エリアの店舗等のスケジュール情報を記憶し、前記情報配信制御手段は前記スケジュール情報に基づいた所定のエリア情報を前記エリア情報記憶手段から抽出して利用者端末宛てに配信することを特徴とする。
【００１８】
本発明によれば、商店街等の駐車場への経路に配設され前記駐車場に入庫する車両の車両番号情報を読み取る車両番号認識手段と、前記車両番号認識手段が配設された周辺エリアの店舗等のエリア情報を記憶するエリア情報記憶手段と利用者情報として少なくとも車両番号情報と利用者端末情報と利用者個人情報とを記憶する利用者情報記憶手段とを有する情報配信サーバ装置とを備えた情報配信システムの情報配信方法において、前記情報配信サーバ装置は前記車両番号認識手段により読み取られた車両番号情報と前記利用者情報記憶手段に登録された車両番号情報とが一致した時には、前記利用者情報記憶手段に登録された利用者端末情報で識別される利用者端末宛てに前記利用者情報記憶手段に登録された利用者個人情報に応じて前記エリア情報記憶手段から抽出した所定のエリア情報を配信する情報配信制御ステップを有する情報配信方法が得られる。
【００１９】
また、前記情報配信制御ステップは前記車両番号認識手段が読み取った車両番号情報を受信し当該車両番号情報が前記利用者情報記憶手段に登録されているか否かを検索する車両番号受信・検索ステップと、当該車両番号情報が前記利用者情報記憶手段に登録されていた場合に当該車両番号情報の車両の所有者である利用者の利用者端末を特定し該利用者端末へ配信する配信情報を当該利用者の利用者個人情報に基づいて前記エリア情報記憶手段から検索することにより抽出し配信するエリア情報として生成する配信情報抽出ステップと、前記配信情報抽出ステップによって生成されたエリア情報を該利用者端末へ配信する配信情報送信ステップとを含む。
【００２０】
前記情報配信制御ステップは、さらに、前記車両番号認識手段が配設された周辺エリアの店舗等に配設された情報提供者端末（店舗端末）から送信されるエリア情報を受信して前記エリア情報記憶手段に登録するエリア情報登録ステップと、利用者情報として少なくとも車両番号情報と利用者端末情報と利用者個人情報とを当該利用者の利用者端末から受信して前記利用者情報記憶手段に登録する利用者情報登録ステップとを含む。
【００２１】
また、前記利用者情報記憶手段は利用者情報として更に利用店舗情報を記憶し、前記情報配信制御ステップは前記車両番号認識手段により読み取られた車両番号情報と前記利用者情報記憶手段に登録された車両番号情報とが一致した時には、さらに、前記利用者情報記憶手段に登録された利用者情報の利用店舗情報で識別される店舗等に配設された情報提供者端末（店舗端末）宛てに当該車両番号情報の車両の所有者である利用者が前記店舗等に来訪することを予告する情報を配信するステップを含む。
【００２２】
さらに、前記情報配信制御ステップは前記車両番号認識手段が車両番号情報を読み取ってからの経過時間を計時し所定時間経過時ごとに前記エリア情報記憶手段から所定のエリア情報を抽出して当該車両番号情報の車両の所有者である利用者の利用者端末宛てに配信するステップを含む。
【００２３】
また、前記エリア情報記憶手段はさらに周辺エリアの店舗等のエリア情報として周辺エリアの店舗等のスケジュール情報を記憶し、前記情報配信制御ステップは前記スケジュール情報に基づいた所定のエリア情報を前記エリア情報記憶手段から抽出して利用者端末宛てに配信するステップを含む。
【００２４】
また、本発明によれば、商店街等の駐車場への経路に配設され前記駐車場に入庫する車両の車両番号情報を読み取る車両番号認識装置から読み取られた車両番号情報を受信すると共に、前記車両番号認識装置が配設された周辺エリアの店舗等のエリア情報を記憶するエリア情報記憶ＤＢ（Ｄａｔａ  Ｂａｓｅ：データベース）と利用者情報として少なくとも車両番号情報と利用者端末情報と利用者個人情報とを記憶する利用者情報記憶ＤＢとを備えるサーバ装置であって、前記サーバ装置は前記車両番号認識装置により読み取られた車両番号情報と前記利用者情報記憶ＤＢに登録された車両番号情報とが一致した時には、前記利用者情報記憶ＤＢに登録された利用者端末情報で識別される利用者端末宛てに前記利用者情報記憶ＤＢに登録された利用者個人情報に応じて前記エリア情報記憶ＤＢから抽出した所定のエリア情報を配信する情報配信制御手段を備えるサーバ装置が得られる。
【００２５】
また、前記情報配信制御手段は前記車両番号認識装置が読み取った車両番号情報を受信し当該車両番号情報が前記利用者情報記憶ＤＢに登録されているか否かを検索する車両番号受信・検索部と、当該車両番号情報が前記利用者情報記憶ＤＢに登録されていた場合に当該車両番号情報の車両の所有者である利用者の利用者端末を特定し該利用者端末へ配信する配信情報を当該利用者の利用者個人情報に基づいて前記エリア情報記憶ＤＢから検索することにより抽出し配信するエリア情報として生成する配信情報抽出部と、前記配信情報抽出部によって生成されたエリア情報を該利用者端末へ配信する配信情報送信部とを備えている。
【００２６】
前記情報配信制御手段は、さらに、前記車両番号認識装置が配設された周辺エリアの店舗等に配設された情報提供者端末（店舗端末）から送信されるエリア情報を受信して前記エリア情報記憶ＤＢに登録するエリア情報登録部と、利用者情報として少なくとも車両番号情報と利用者端末情報と利用者個人情報とを当該利用者の利用者端末から受信して前記利用者情報記憶ＤＢに登録する利用者情報登録部とを備えている。
【００２７】
また、前記利用者情報記憶ＤＢは利用者情報として更に利用店舗情報を記憶し、前記情報配信制御手段は前記車両番号認識装置により読み取られた車両番号情報と前記利用者情報記憶ＤＢに登録された車両番号情報とが一致した時には、さらに、前記利用者情報記憶ＤＢに登録された利用者情報の利用店舗情報で識別される店舗等に配設された情報提供者端末（店舗端末）宛てに当該車両番号情報の車両の所有者である利用者が前記店舗等に来訪することを予告する情報を配信する。
【００２８】
さらに、前記情報配信制御手段は前記車両番号認識装置が車両番号情報を読み取ってからの経過時間を計時し所定時間経過時ごとに前記エリア情報記憶ＤＢから所定のエリア情報を抽出して当該車両番号情報の車両の所有者である利用者の利用者端末宛てに配信することを特徴とする。
【００２９】
また、前記エリア情報記憶ＤＢはさらに周辺エリアの店舗等のエリア情報として周辺エリアの店舗等のスケジュール情報を記憶し、前記情報配信制御手段は前記スケジュール情報に基づいた所定のエリア情報を前記エリア情報記憶ＤＢから抽出して利用者端末宛てに配信することを特徴とする。
【００３０】
さらに本発明によれば、商店街等の駐車場への経路に配設され前記駐車場に入庫する車両の車両番号情報を読み取る車両番号認識装置から読み取られた車両番号情報を受信すると共に、前記車両番号認識装置が配設された周辺エリアの店舗等のエリア情報を記憶するエリア情報記憶ＤＢと利用者情報として少なくとも車両番号情報と利用者端末情報と利用者個人情報とを記憶する利用者情報記憶ＤＢとを備えるサーバ装置のコンピュータに、前記車両番号認識装置により読み取られた車両番号情報と前記利用者情報記憶ＤＢに登録された車両番号情報とが一致した時には、前記利用者情報記憶ＤＢに登録された利用者端末情報で識別される利用者端末宛てに前記利用者情報記憶ＤＢに登録された利用者個人情報に応じて前記エリア情報記憶ＤＢから抽出した所定のエリア情報を配信する情報配信制御処理を実行させるプログラムが得られる。
【００３１】
また、前記情報配信制御処理においては、前記車両番号認識装置が読み取った車両番号情報を受信し当該車両番号情報が前記利用者情報記憶ＤＢに登録されているか否かを検索する車両番号受信・検索処理と、当該車両番号情報が前記利用者情報記憶ＤＢに登録されていた場合に当該車両番号情報の車両の所有者である利用者の利用者端末を特定し該利用者端末へ配信する配信情報を当該利用者の利用者個人情報に基づいて前記エリア情報記憶ＤＢから検索することにより抽出し配信するエリア情報として生成する配信情報抽出処理と、前記配信情報抽出処理によって生成されたエリア情報を該利用者端末へ配信する配信情報送信処理とを実行させる。
【００３２】
前記情報配信制御処理においては、さらに、前記車両番号認識装置が配設された周辺エリアの店舗等に配設された情報提供者端末（店舗端末）から送信されるエリア情報を受信して前記エリア情報記憶ＤＢに登録するエリア情報登録処理と、利用者情報として少なくとも車両番号情報と利用者端末情報と利用者個人情報とを当該利用者の利用者端末から受信して前記利用者情報記憶ＤＢに登録する利用者情報登録処理とを実行させる。
【００３３】
また、前記利用者情報記憶ＤＢは利用者情報として更に利用店舗情報を記憶し、前記情報配信制御処理においては、前記車両番号認識装置により読み取られた車両番号情報と前記利用者情報記憶ＤＢに登録された車両番号情報とが一致した時には、さらに、前記利用者情報記憶ＤＢに登録された利用者情報の利用店舗情報で識別される店舗等に配設された情報提供者端末（店舗端末）宛てに当該車両番号情報の車両の所有者である利用者が前記店舗等に来訪することを予告する情報を配信する処理を実行させる。
【００３４】
さらに、前記情報配信制御処理においては、前記車両番号認識装置が車両番号情報を読み取ってからの経過時間を計時し所定時間経過時ごとに前記エリア情報記憶ＤＢから所定のエリア情報を抽出して当該車両番号情報の車両の所有者である利用者の利用者端末宛てに配信する処理を実行させることを特徴とする。
【００３５】
また、前記エリア情報記憶ＤＢはさらに周辺エリアの店舗等のエリア情報として周辺エリアの店舗等のスケジュール情報を記憶し、前記情報配信制御処理においては、前記スケジュール情報に基づいた所定のエリア情報を前記エリア情報記憶ＤＢから抽出して利用者端末宛てに配信する処理を実行させることを特徴とする。
【発明の効果】
【００３６】
本発明の車両番号による情報配信システムとその方法並びにサーバ装置とそのプログラムは、サーバ装置に、予め、車両番号と該車両の所有者である利用者の利用者端末情報、利用者個人情報を登録しておくことで、商店街等の駐車場などへ車両が入庫しようとした際に車両番号を読み取り、読み取った車両番号から該車両の所有者の所有する利用者端末を特定し、該利用者端末に対し、該車両の所有者である利用者の個人情報に対応する買物情報などの所定の情報を、適切なタイミングで配信することができる。また、あわせて商店・店舗などに対しても、利用者の来訪に関する情報を提供できるので、接客サービスの向上につながる。
【００３７】
さらに、サーバ装置が、車両入庫からの経過時間を計時し、経過時間に応じて所定の情報を配信するようにしたものであるため、例えば、周辺エリアの情報の順次配信や、利用者の疲労度に応じて飲食店の情報を配信するなど、利用者の誘導を目的とする情報配信を行うことが可能となる。
【００３８】
またさらに、サーバ装置が、エリア内のイベントのスケジュール情報を管理しているため、周辺エリアのイベントに合わせて適切なタイミングで情報の送受を行うことができ、商店・店舗の集客効果の向上に資すると共に、利用者の利便性を向上させることができる。
【発明を実施するための最良の形態】
【００３９】
次に、本発明の実施の形態について図面を参照して説明する。
【実施例１】
【００４０】
図１は、本発明の車両番号による情報配信システムの一実施例を示すブロック図である。
図１に示す本実施例の情報配信システムは、商店、レストラン、映画館等の複数の店舗が集まった複合商業施設、又は、街の商店街、或いは、デパートやスーパーマーケットなどの大型小売店舗の、駐車場、或いは、駐車場への経路上に配置され、商店街等の利用者が乗車する車両１０の車両番号（ナンバープレート）を読み取る車両番号読取装置４００を備えている。
【００４１】
さらに、情報配信システムは、商店街等の利用者に携帯され、無線による情報受信が可能な携帯電話機等の利用者端末１００と、駐車場周辺エリアの商店・店舗等に配置され、利用者端末１００へ配信する情報（以降、エリア情報、とも称するものとする。）を提供する情報提供者端末（店舗端末）２００と、情報提供者端末（店舗端末）２００からのエリア情報を記憶するエリア情報ＤＢ（Ｄａｔａ  Ｂａｓｅ：データベース）３１０と、利用者端末１００を所有する利用者に関する利用者情報を記憶する利用者情報ＤＢ３２０とを備えると共に、記憶する該情報を、利用者端末１００或いは情報提供者端末（店舗端末）２００に配信する情報配信サーバ装置３００と、利用者端末１００、車両番号読取装置４００、情報提供者端末（店舗端末）２００、情報配信サーバ装置３００とを相互に接続するインターネット等の通信ネットワーク５００と、を有する。
【００４２】
なお、利用者端末１００、情報提供者端末（店舗端末）２００は、複数有ってもよく、また車両番号読取装置４００も、所定エリアの駐車場ごとに複数配置されていてもよい。車両番号読取装置４００と情報配信サーバ装置３００との間は専用回線で接続されていてもよい。
【００４３】
車両番号読取装置４００は、車両１０のナンバープレートを撮影して、ナンバープレートが示す車両番号（例えば、「品川５００、な、○○△△」）を、情報配信サーバ装置３００に送信するカメラ式車両番号読取装置、或いは／及び、車両１０のナンバープレートにアンテナが設けられている場合に、該ナンバープレートから送信される車両番号を、アンテナによって受信して情報配信サーバ装置３００に送信する電子式車両番号読取装置である。
【００４４】
利用者端末１００は、無線による情報受信が可能な携帯電話機やＰＨＳ（Ｐｅｒｓｏｎａｌ  Ｈａｎｄｙｐｈｏｎｅ  Ｓｙｓｔｅｍ：パーソナルハンディホンシステム）端末、或いは、ＰＤＡ（Ｐｅｒｓｏｎａｌ  Ｄｉｇｉｔａｌ  Ａｓｓｉｓｔａｎｃｅ：携帯情報端末）やノートＰＣ（Ｐｅｒｓｏｎａｌ  Ｃｏｍｐｕｔｅｒ：パーソナルコンピュータ）などの携帯端末である。利用者端末１００は、電子メールを送受信可能な電子メール送受信機能を備えている。
【００４５】
情報提供者端末（店舗端末）２００は、パーソナルコンピュータ等の情報処理装置によって構成される端末装置であり、該当商店・店舗から利用者端末１００へ配信したい情報（例えば、新規取り扱い商品に関する買物情報や、広告情報などのエリア情報）を情報配信サーバ装置３００に送信するエリア情報送信機能と、情報配信サーバ装置３００から送信される、利用者が来店した、との情報を受信する利用者来店情報受信機能とを備えている。
【００４６】
情報配信サーバ装置３００は、ワークステーション・サーバ装置等の情報処理装置によって構成され、情報提供者端末（店舗端末）２００から送信されるエリア情報をエリア情報ＤＢ３１０に記憶すると共に、車両番号読取装置４００から送信される車両番号から、該車両の所有者の所有する利用者端末１００を特定し、該利用者端末１００に対して、該利用者の個人情報に対応する買物情報などのエリア情報を、配信する機能を備えている。
【００４７】
次に、図２を参照して、情報配信サーバ装置３００の詳細構成について説明する。
【００４８】
図２は、情報配信サーバ装置の一例を示す詳細ブロック図である。なお、図２において図１に示す構成要素に対応するものは同一の参照数字または符号を付し、その説明を省略するものとする。
【００４９】
図２において、情報配信サーバ装置３００は、商店・店舗ごとの買物情報や広告情報などのエリア情報を記憶・保持するエリア情報ＤＢ３１０と、商店・店舗等を利用する利用者ごとの、少なくとも、利用者の所有する車両１０の車両番号情報と、利用者の所有する利用者端末１００の電子メールアドレスなどの利用者端末情報と、該利用者の趣味、嗜好、利用店舗情報などの利用者個人情報とを、利用者情報として記憶・保持する利用者情報ＤＢ３２０と、を備えている。
また、情報提供者端末（店舗端末）２００から送信されるエリア情報を受信してエリア情報ＤＢ３１０に登録するエリア情報登録部３３０と、利用者ごとの利用者情報を利用者端末１００から受信して利用者情報ＤＢ３２０に登録する利用者情報登録部３４０と、を備えている。
【００５０】
さらに、車両番号読取装置４００が読み取った車両番号を受信し、当該車両番号が利用者情報ＤＢ３２０に登録されているか否かを検索する車両番号受信・検索部３５０と、当該車両番号が利用者情報ＤＢ３２０に登録されていた場合に、当該車両の所有者である利用者の利用者端末１００を特定し、該利用者端末１００へ配信する配信情報を、当該利用者の利用者個人情報（趣味、嗜好、利用店舗情報など）に基づいて、利用者個人情報に合致する情報をエリア情報ＤＢ３１０から検索することにより抽出し、エリア情報として生成する配信情報抽出部３６０と、配信情報抽出部３６０によって生成された配信情報、すなわちエリア情報を該利用者端末１００へ配信する配信情報送信部３７０と、を備えている。
【００５１】
なお、配信情報抽出部３６０は、当該利用者の利用者個人情報のなかの、特に、利用店舗情報から、当該利用者の商店・店舗などへの来訪に関する情報を生成し、この情報を、配信情報送信部３７０を介して該当する商店・店舗の情報提供者端末（店舗端末）２００に配信する機能をも備えている。
【００５２】
次に、図３を参照して、エリア情報ＤＢ３１０の構成について説明する。
図３は、エリア情報ＤＢの一例を示す図である。
【００５３】
図３において、エリア情報ＤＢ３１０は、商店・店舗ごとの買物情報や広告情報などのエリア情報を記憶・保持するよう構成されており、店舗名称３１１の欄と、該店舗の営業時間３１２の欄と、該店舗の買物情報・広告情報３１３の欄と、から構成されている。
【００５４】
具体的には、例えば図３の３１５の行に示すように、「○○紳士服」（店舗名称３１１の欄）の営業時間は「９時〜２０時」（営業時間３１２の欄）であり、買物情報として、「秋の紳士服セール  ○月○日〜○月△日、ジャケット特売中」（買物情報・広告情報３１３の欄）、などが登録され記憶されている。図３の３１６以下の行でも同様に、「△△スポーツ」店舗の情報、「□□レストラン」店舗の情報、・・・が登録され記憶されている。
【００５５】
次に、図４を参照して、利用者情報ＤＢ３２０の構成について説明する。
図４は、利用者情報ＤＢの一例を示す図である。
【００５６】
図４において、利用者情報ＤＢ３２０は、商店街等の利用者ごとの車両番号情報、利用者端末情報、利用者個人情報を記憶・保持するよう構成されており、車両番号３２１の欄と、利用者端末情報（利用者端末１００の電子メールアドレス、を記憶するものとする。）３２２の欄と、利用者個人情報３２３の欄と、から構成されている。利用者個人情報３２３の欄は、さらに詳細な区分が成されており、氏名３２３１の欄と、年令３２３２の欄と、趣味・嗜好３２３３の欄と、利用店舗３２３４の欄と、その他３２３５の欄と、に区分されている。
【００５７】
具体的には、例えば図４の３２５の行に示すように、車両番号「品川５００、な、○○△△」（車両番号３２１の欄）の車両を所有する利用者の、利用者端末１００の電子メールアドレスは、「ａｂｃｄ＠ｅｆｇ．ｎｅ．ｊｐ」（利用者端末情報３２２の欄）であり、利用者の氏名は「○○○○」（氏名３２３１の欄）、年令「○○才」（年令３２３２の欄）、該利用者の趣味・嗜好は「ゴルフ、甘味」（趣味・嗜好３２３３の欄）であり、該利用者がよく利用する店舗は、「○○紳士服、△△スポーツ」（利用店舗３２３４の欄）である。さらに必要に応じて該利用者に関する個人情報がその他３２３５の欄に記載され、登録されるようになっている。図４の３２６以下の行でも同様に、他の利用者の利用者個人情報等が登録され記憶されている。
【００５８】
次に、図５を参照して、図１から図４で示した本実施例の動作について詳細に説明する。
図５は、図１から図４に示した本実施例の動作を説明するフローチャートである。
【００５９】
図５において、予め、商店街等を利用する利用者は、自身の利用者端末１００から自身の利用者情報を情報配信サーバ装置３００に対して送信し登録する（図５のステップＳ１０１）。すなわち、利用者情報として、該利用者が乗車する車両１０の車両番号と、該利用者の利用者端末１００の利用者端末情報（利用者端末１００の電子メールアドレス）と、該利用者の利用者個人情報（趣味・嗜好、利用店舗、その他必要な情報）と、を電子メールなどに記載して、情報配信サーバ装置３００に対して送信し登録する。ここで送信する利用者情報は、具体的には、図４の３２５の行で例示したような情報である。
【００６０】
情報配信サーバ装置３００は、利用者端末１００から送信された利用者情報を、利用者情報登録部３４０で受信し、受信した利用者情報を利用者情報ＤＢ３２０に登録する（ステップＳ１０３−１）。
【００６１】
他の利用者も同様に、他の利用者の利用者情報を情報配信サーバ装置３００に送信し（ステップＳ１０１）、情報配信サーバ装置３００はこれを利用者情報ＤＢ３２０に登録する（ステップＳ１０３−１）。この結果、情報配信サーバ装置３００には、複数の利用者情報が、図４で例示した利用者情報ＤＢ３２０に登録され記憶される。
【００６２】
また、商店街等を構成する商店・店舗は、情報提供者端末（店舗端末）２００から自店舗のエリア情報を情報配信サーバ装置３００に対して送信し登録する（ステップＳ１０２）。すなわち、エリア情報として、自店舗の店舗名称、営業時間、買物情報・広告情報を、電子メールなどに記載して、情報配信サーバ装置３００に対して送信し登録する。ここで送信するエリア情報は、具体的には、図３の３１５の行で例示したような情報である。
【００６３】
情報配信サーバ装置３００は、情報提供者端末（店舗端末）２００から送信されたエリア情報を、エリア情報登録部３３０で受信し、受信したエリア情報をエリア情報ＤＢ３１０に登録する（ステップＳ１０３−２）。
【００６４】
他の商店・店舗も同様に、他の商店・店舗のエリア情報を情報配信サーバ装置３００に送信し（ステップＳ１０２）、情報配信サーバ装置３００はこれをエリア情報ＤＢ３１０に登録する（ステップＳ１０３−２）。この結果、情報配信サーバ装置３００には、複数の店舗のエリア情報が、図３で例示したエリア情報ＤＢ３１０に登録され記憶される。
【００６５】
以上の準備動作の後、商店街等の利用者が、自身の車両１０を利用して商店街等所定エリアの駐車場に入庫しようとする際に、駐車場への経路上に配置された車両番号読取装置４００により車両１０の車両番号が読取られ（ステップＳ１０４）、該車両番号は情報配信サーバ装置３００に送信される（ステップＳ１０５）。
【００６６】
情報配信サーバ装置３００は、該車両番号を車両番号受信・検索部３５０で受信し（ステップＳ１０６）、該車両番号が利用者情報ＤＢ３２０に登録されているか否かの判定を行う（ステップＳ１０７）。そして、該車両番号が、利用者情報ＤＢ３２０の車両番号３２１の欄の何れかの行で一致するものであった場合には（ステップＳ１０８でＹｅｓ）、次のステップＳ１０９−１の処理に進む。一致しなかった場合には（ステップＳ１０８でＮｏ）、車両番号受信・検索部３５０は処理を終了し、従って、情報配信サーバ装置３００の処理が終了する。
【００６７】
ステップＳ１０９−１においては、車両番号読取装置４００により読取られた車両番号が、利用者情報ＤＢ３２０内に登録されていたものであるため、情報配信サーバ装置３００の車両番号受信・検索部３５０は、該車両番号を配信情報抽出部３６０に渡すことにより配信情報抽出部３６０を起動して、該車両番号を有する利用者の利用者個人情報（趣味、嗜好、利用店舗情報など）に合致するエリア情報を、エリア情報ＤＢ３１０から抽出させて配信情報を生成し、該車両番号を有する利用者の利用者端末１００に送信させるようにする。
【００６８】
すなわち、情報配信サーバ装置３００の配信情報抽出部３６０は、利用者情報ＤＢ３２０から該車両番号を有する利用者の利用者個人情報を取得し、取得した利用者個人情報に合致する情報を、エリア情報ＤＢ３１０から検索することにより抽出し、エリア情報として生成する（ステップＳ１０９−１）。
【００６９】
具体例を示す。該車両番号が「品川５００、な、○○△△」であったとすると、該車両番号は図４に示した利用者情報ＤＢ３２０の３２５の行に登録されているため、該車両番号を有する利用者の利用者個人情報（趣味・嗜好は「ゴルフ、甘味」であり、利用店舗は「○○紳士服」と「△△スポーツ」）を取得することができる。そして、取得した利用者個人情報に合致するエリア情報を、エリア情報ＤＢ３１０から取得する。この場合、利用者個人情報に合致するエリア情報は、図３に示したエリア情報ＤＢ３１０の３１５の行（「○○紳士服」、利用店舗（図４の利用店舗３２３４「○○紳士服」）が合致するため）と、３１６の行（「△△スポーツ」、利用店舗（図４の利用店舗３２３４「△△スポーツ」）が合致するため、又は、趣味・嗜好（図４の趣味・嗜好３２３３「ゴルフ」）が合致するため）である。従って、生成するエリア情報は、「○○紳士服」の買物情報・広告情報（「秋の紳士服セール  ○月○日〜○月△日、ジャケット特売中」）と「△△スポーツ」の買物情報・広告情報となる。
【００７０】
配信情報抽出部３６０が生成したエリア情報は、配信情報送信部３７０を介して利用者端末１００に電子メールで送信する（ステップＳ１１０−１）。利用者端末１００は送信されたエリア情報を受信し（ステップＳ１１１）、受信したエリア情報を利用者端末１００の表示装置等に表示する。
【００７１】
また、情報配信サーバ装置３００の配信情報抽出部３６０は、利用者情報ＤＢ３２０から該車両番号を有する利用者の利用者個人情報を取得すると、取得した利用者個人情報の利用店舗の情報から、当該利用者が店舗へ来訪することを予告する情報を生成し（ステップＳ１０９−２）、この情報を、配信情報送信部３７０を介して該当店舗の情報提供者端末（店舗端末）２００に送信する（ステップＳ１１０−２）。情報提供者端末（店舗端末）２００は送信された該情報を受信し（ステップＳ１１２）、受信した該情報を情報提供者端末（店舗端末）２００の表示装置等に表示する。
【００７２】
具体例を示す。該車両番号（「品川５００、な、○○△△」）は、図４に示した利用者情報ＤＢ３２０の３２５の行に登録されているため、該車両番号を有する利用者の利用者個人情報の利用店舗（「○○紳士服」と「△△スポーツ」）を取得する。そして、該当店舗の情報提供者端末（店舗端末）２００に対し、すなわち、「○○紳士服」の情報提供者端末（店舗端末）２００と「△△スポーツ」の情報提供者端末（店舗端末）２００の双方に対し、当該利用者が店舗へ来訪することを予告する情報を送信する。
【００７３】
以上説明したように、本実施例によれば、情報配信サーバ装置に、予め、車両番号と該車両の所有者である利用者の利用者端末情報、利用者個人情報を登録しておくことで、商店街等の駐車場などへ車両が入庫しようとした際に車両番号を読み取り、読み取った車両番号から該車両の所有者の所有する利用者端末を特定し、該利用者端末に対し、該車両の所有者である利用者の個人情報に対応する買物情報などの所定の情報が、適切なタイミングで配信される。また、あわせて商店・店舗などに対しても、利用者の来訪に関する情報が提供されるため、接客サービスの向上につながる。
【実施例２】
【００７４】
次に、本発明の車両番号による情報配信システムの第２の実施例について説明する。
本発明の第２の実施例において、その構成は、図１〜図４に示した第１の実施例と同様であるが、図２に示した情報配信サーバ装置３００の配信情報抽出部３６０が、その内部に車両入庫からの経過時間を計測する経過時間計測部を備える点で、第１の実施例と異なるものである。そして、第２の実施例においては、情報配信サーバ装置３００が、車両の駐車場への入庫からの経過時間を計測し、経過時間に応じて買物情報などの所定のエリア情報を、当該車両を所有する利用者の利用者端末１００へ配信するものである。
【００７５】
次に、図６を参照して、本発明の第２の実施例の動作について詳細に説明する。
図６は、本発明の第２の実施例の動作を説明するフローチャートである。
【００７６】
図６において、図示を省略した車両番号読取装置４００から車両番号（イ）が送信されると、情報配信サーバ装置３００の車両番号受信・検索部３５０は該車両番号を受信し（図６のステップＳ２０１）、該車両番号が利用者情報ＤＢ３２０に登録されているか否かの判定を行う（ステップＳ２０２）。そして、該車両番号が、利用者情報ＤＢ３２０の車両番号３２１の欄の何れかの行で一致するものであった場合には（ステップＳ２０３でＹｅｓ）、該車両番号の車両が駐車場に入庫したものと認識し、該車両番号を配信情報抽出部３６０に渡すことにより配信情報抽出部３６０を起動し、ステップＳ２０４以降の処理を行わせる。一致しなかった場合には（ステップＳ２０３でＮｏ）、車両番号受信・検索部３５０は処理を終了し、従って、情報配信サーバ装置３００の処理が終了する。
【００７７】
該車両番号（イ）を渡された配信情報抽出部３６０は、経過時間計測部により該車両番号（イ）の車両の入庫からの経過時間の計測を開始する（ステップＳ２０４）。
【００７８】
ここで、配信情報抽出部３６０が、車両番号受信・検索部３５０を介して別の車両番号（ロ）を渡された場合には、別の車両番号（ロ）が該車両番号（イ）と一致するか否かを判定する（ステップＳ２０５）。車両番号（ロ）と車両番号（イ）とが一致した場合は、該車両番号（イ）の車両が駐車場から出庫したものと認識し（ステップＳ２０５でＹｅｓ）、処理を終了する。
【００７９】
別の車両番号（ロ）が該車両番号（イ）と一致しない場合、或いは、別の車両番号（ロ）が渡されない場合には（ステップＳ２０５でＮｏ）、配信情報抽出部３６０は、該車両番号（イ）の入庫から所定時間（例えば１０分など）が経過したか否かを判定し（ステップＳ２０６）、所定時間が経過している場合には（ステップＳ２０６でＹｅｓ）、経過時間に応じたエリア情報をエリア情報ＤＢ３１０から抽出し（ステップＳ２０７）、抽出したエリア情報を、配信情報送信部３７０を介して、該車両番号（イ）の車両を有する利用者の利用者端末１００に電子メールで送信する（ステップＳ２０８）。そして、ステップＳ２０５に戻る。
【００８０】
経過時間に応じたエリア情報について、具体例を示す。該車両番号（イ）の車両を有する利用者が、図４に示した利用者情報ＤＢ３２０の３２５の行に登録されていたものとすると、該利用者の利用者個人情報３２３から、該利用者は「○○紳士服」と「△△スポーツ」と、「甘味」を提供可能なレストランと、を訪問することが推測可能となる。従って、第１の所定時間経過時（例えば、車両の入庫から１０分後）に、図３に示したエリア情報ＤＢ３１０から「○○紳士服」（図３の３１５の行）のエリア情報（買物情報・広告情報３１３）を抽出して、利用者端末１００に送信する。そして、第２の所定時間経過時（例えば、２０分後）には、「△△スポーツ」のエリア情報を抽出して利用者端末１００に送信し、第３の所定時間経過時（例えば、３０分後）には、「□□レストラン」（図３に示したエリア情報ＤＢ３１０の３１７の行）のエリア情報を送信する。
【００８１】
ステップＳ２０８で送信されたエリア情報は、所定時間経過時ごとに利用者端末１００で受信され（ステップＳ２０９）、該エリア情報は利用者端末１００の表示装置等に表示される。
【００８２】
以上説明したように、第２の実施例によれば、情報配信サーバ装置に車両入庫からの経過時間を計測する経過時間計測部を備え、経過時間に応じて所定の情報を配信するようにしたものであるため、例えば、駐車場の周辺エリアの商店・店舗等のエリア情報の順次配信や、利用者の疲労度に応じて飲食店のエリア情報を配信するなど、利用者の誘導を目的とする情報配信を行うことが可能となる。
【実施例３】
【００８３】
次に、本発明の車両番号による情報配信システムの第３の実施例について説明する。
【００８４】
本発明の第３の実施例において、その構成は、図１〜図４に示した第１の実施例と同様であるが、図２に示した情報配信サーバ装置３００の配信情報抽出部３６０が、図３に示したエリア情報ＤＢ３１０の営業時間３１２に、イベントなどの開始時刻などのスケジュール情報が登録されている場合に、そのスケジュール情報を参照して、イベントなどの開始時刻前に当該イベントに関する情報をエリア情報ＤＢ３１０から抽出して、当該エリア情報を利用者端末１００に送信するようにした点で、第１の実施例と異なるものである。
【００８５】
次に、図７を参照して、本発明の第３の実施例の動作について詳細に説明する。
図７は、本発明の第３の実施例の動作を説明するフローチャートである。
【００８６】
図７において、図示を省略した車両番号読取装置４００から車両番号（イ）が送信されると、情報配信サーバ装置３００の車両番号受信・検索部３５０は該車両番号を受信し（図７のステップＳ３０１）、該車両番号が利用者情報ＤＢ３２０に登録されているか否かの判定を行う（ステップＳ３０２）。そして、該車両番号が、利用者情報ＤＢ３２０の車両番号３２１の欄の何れかの行で一致するものであった場合には（ステップＳ３０３でＹｅｓ）、該車両番号の車両が駐車場に入庫したものと認識し、該車両番号を配信情報抽出部３６０に渡すことにより配信情報抽出部３６０を起動し、ステップＳ３０４以降の処理を行わせる。一致しなかった場合には（ステップＳ３０３でＮｏ）、車両番号受信・検索部３５０は処理を終了し、従って、情報配信サーバ装置３００の処理が終了する。
【００８７】
該車両番号（イ）を渡された配信情報抽出部３６０は、図３に示したエリア情報ＤＢ３１０の営業時間３１２に、イベントなどの開始時刻などのスケジュール情報が登録されているか否かを判定する（ステップＳ３０４）。
【００８８】
具体例を示す。図３のエリア情報ＤＢ３１０の３１８の行には、「○△シネマ」のエリア情報が登録されており、その営業時間３１２には、「第１回上映：１０時」「第２回上映：１３時」といったスケジュール情報が登録されている。従って、配信情報抽出部３６０は、スケジュール情報がエリア情報ＤＢ３１０に登録されているものと認識する。
【００８９】
スケジュール情報がエリア情報ＤＢ３１０に登録されている場合には（ステップＳ３０４でＹｅｓ）、次のステップＳ３０５の処理に進み、スケジュール情報が登録されていない場合には（ステップＳ３０４でＮｏ）、次の店舗にスケジュール情報が登録されているか否かを判定するため、ステップＳ３０４に戻り、判定動作を繰り返す。
【００９０】
スケジュール情報がエリア情報ＤＢ３１０に登録されている場合（ステップＳ３０４でＹｅｓ）、別の車両番号（ロ）が渡されたかを判定する（ステップＳ３０５）。配信情報抽出部３６０が、車両番号受信・検索部３５０を介して別の車両番号（ロ）を渡された場合には、別の車両番号（ロ）が該車両番号（イ）と一致するか否かを判定し、別の車両番号（ロ）と該車両番号（イ）とが一致した場合は、該車両番号（イ）の車両が駐車場から出庫したものと認識し（ステップＳ３０５でＹｅｓ）、処理を終了する。
【００９１】
別の車両番号（ロ）が該車両番号（イ）と一致しない場合、或いは、別の車両番号（ロ）が渡されない場合には（ステップＳ３０５でＮｏ）、配信情報抽出部３６０は、エリア情報ＤＢ３１０に登録されているスケジュール情報を参照して、スケジュール情報として登録されているイベント（例えば、「○△シネマ」における映画の上映開始時間など）の開始時刻前に、当該イベントに関する情報をエリア情報ＤＢ３１０から抽出し（ステップＳ３０６）、抽出したエリア情報を、配信情報送信部３７０を介して、該車両番号（イ）の車両を有する利用者の利用者端末１００に電子メールで送信する（ステップＳ３０７）。そして、ステップＳ３０４に戻る。
【００９２】
ステップＳ３０７で送信されたエリア情報は、イベントなどの開始時刻前ごとに利用者端末１００で受信され（ステップＳ３０８）、該エリア情報は利用者端末１００の表示装置等に表示される。
【００９３】
以上説明したように、第３の実施例によれば、情報配信サーバ装置が駐車場の周辺エリアのスケジュール情報を管理しているため、周辺エリアのイベント（例えば、映画の上映開始時間や、パンの焼き上がり時間、など）にあわせて、適切なタイミングでエリア情報の送受が行われ、商店・店舗の集客効果が向上すると共に、利用者にとっての利便性が向上する。
【図面の簡単な説明】
【００９４】
【図１】本発明の車両番号による情報配信システムの一実施例を示すブロック図である。
【図２】情報配信サーバ装置の一例を示す詳細ブロック図である。
【図３】エリア情報ＤＢの一例を示す図である。
【図４】利用者情報ＤＢの一例を示す図である。
【図５】図１から図４に示した本実施形態の動作を説明するフローチャートである。
【図６】本発明の第２の実施例の動作を説明するフローチャートである。
【図７】本発明の第３の実施例の動作を説明するフローチャートである。
【符号の説明】
【００９５】
１０      車両
１００    利用者端末
２００    情報提供者端末（店舗端末）
３００    情報配信サーバ装置
３１０    エリア情報ＤＢ
３２０    利用者情報ＤＢ
３３０    エリア情報登録部
３４０    利用者情報登録部
３５０    車両番号受信・検索部
３６０    配信情報抽出部
３７０    配信情報送信部
４００    車両番号読取装置
５００    通信ネットワーク
【図１】
2005141600.tif 000003
【図２】
2005141600.tif 000004
【図３】
2005141600.tif 000005
【図４】
2005141600.tif 000006
【図５】
2005141600.tif 000007
【図６】
2005141600.tif 000008
【図７】
2005141600.tif 000009